(57)【要約】【課題】本発明は、冷蔵室の温度を迅速且つ、均一に維持し得る冷蔵庫の集中冷却装置を提供しようとする。【解決手段】冷蔵室の側壁に複数形成された冷気案内通路に夫々装着されるハウジング３２と、該ハウジング３２に揺動可能に支持されて前記冷蔵室内部の高温負荷が発生された地域に冷気を集中的に噴射させるノズル３９と、該ノズル３９が収納されるように該ノズル３９の両方側に嵌合された各連結ロッド４３、４４が夫々係合されることで、前記ノズル３０を上下方向に揺動可能に支持するノズル支持部材５２と、前記ノズル３９の前面に装着されて、該ノズルと一緒に揺動されながら高温負荷が発生された地域を感知する赤外線温度センサー４５と、前記ノズル支持部材５２を揺動させて前記ノズルを左右方向に揺動させる第１駆動部５１と、前記ノズルの揺動方向によって前記連結ロッドが揺動されながら前記ノズルを上下方向に揺動させる第２駆動部とを包含して冷蔵庫の集中冷却装置を構成する。【選択図】　　　図１
2004077112.tif 000002
【特許請求の範囲】
【請求項１】
冷気を冷蔵室の側壁に案内するように冷蔵室の側壁に複数形成された冷気案内通路に夫々装着されるハウジングと、
該ハウジングに揺動可能に支持されて前記冷蔵室内部の所定地域に高温負荷が発生するとき、該高温負荷が発生された地域に冷気を集中的に噴射させるノズルと、
該ノズルの両方側に嵌合された二つの連結ロッドが夫々そのノズルを上下方向に揺動可能に係合されたノズル支持部材と、
前記ノズルの前面に装着されて、該ノズルと一緒に揺動されながら高温負荷の発生領域を感知する赤外線温度センサーと、
前記ノズル支持部材を揺動させることで、前記ノズルを左右方向に揺動させる第１駆動部と、
前記ノズルの揺動方向によって前記各連結ロッドが揺動されながら前記ノズルを上下方向に揺動させる第２駆動部と、を包含して構成されることを特徴とする冷蔵庫の集中冷却装置。
【請求項２】
前記ハウジングは、前記冷気案内通路の前面に夫々付着されて、それらハウジングの前面に、前記ノズルが露出されるようにカバーが夫々装着されることを特徴とする請求項１記載の冷蔵庫の集中冷却装置。
【請求項３】
前記各ハウジングは、中央が前方に屈曲突成されて中心部が穿孔された接触突条を有する中空円筒状に形成され、その外側壁面には、前記ノズル支持部材を揺動可能に支持する複数の第１支持ローラが夫々装着されることを特徴とする請求項２記載の冷蔵庫の集中冷却装置。
【請求項４】
前記カバーは、前記ノズルが揺動可能に挿入されるノズル挿入ホールが中央に穿孔形成された円板状に形成され、そのカバーの後方面には、前記ノズルを揺動可能に支持する複数の第２支持ローラが夫々装着されたことを特徴とする請求項２記載の冷蔵庫の集中冷却装置。
【請求項５】
前記ノズルは、前記カバーのノズル挿入ホールに挿入されてその前面が冷蔵室の内部に露出され、そのノズルの後方側は、前記ハウジングの接触突条の外周面に揺動可能に当接され、前記冷気案内通路を通して流入される冷気を冷蔵室に噴射させる冷気噴射口が前記ノズルの前面に偏心して穿孔形成されて、前記冷気噴射口の上面には、前記温度センサーを収納するためのセンサー収納部が切削形成されることを特徴とする請求項２記載の冷蔵庫の集中冷却装置。
【請求項６】
前記ノズルは、前記冷蔵室に露出される前面が半球状に形成されることを特徴とする請求項５記載の冷蔵庫の集中冷却装置。
【請求項７】
前記第１駆動部は、前記ノズル支持部材の内側壁面に形成されたラックギヤーと、
該ラックギヤーと噛合されるピニオンギヤーと、
該ピニオンギヤーを駆動させる駆動モータと、を包含して構成されることを特徴とする請求項１記載の冷蔵庫の集中冷却装置。
【請求項８】
前記駆動モータは、ステッピングモーターから構成されることを特徴とする請求項７記載の冷蔵庫の集中冷却装置。
【請求項９】
前記第２駆動部は、前記ノズルの一方側に嵌合されて前記連結ロッドの揺動により前記ノズルを上方向に揺動させる上方向駆動部と、
該上方向駆動部の反対側のノズルに嵌合されて前記連結ロッドの揺動により前記ノズルを下方向に揺動させる上方向駆動部と、を包含して構成されることを特徴とする請求項１記載の冷蔵庫の集中冷却装置。
【請求項１０】
前記上方向駆動部は、前記連結ロッドに嵌合されてその外周面にギヤー噛部が切削形成された上方向ラチェットホイールと、
前記ノズルの上方向揺動時に、前記カバーの上面の前記上方向ラチェットホイールの揺動軌道上に装着されて、前記上方向ラチェットホイールの上方向の進行は許容し、その下方向の進行は前記上方向ラチェットホイールの噛部中、一つの噛部に該当する角度だけ上方向ラチェットホイールを揺動するように前記上方向ラチェットホイールの進行を許容する上方向ラチェットポールと、を包含して構成されることを特徴とする請求項９記載の冷蔵庫の集中冷却装置。
【請求項１１】
前記上方向ラチェットホイールの外周縁の噛形は、上方向に進行時に前記上方向ラチェットポールを押しながら進行し得るように緩慢に切削形成され、反対側方向進行時には、前記上方向ラチェットポールに掛止されるように切削形成されることを特徴とする請求項１０記載の冷蔵庫の集中冷却装置。
【請求項１２】
前記上方向ラチェットポールは、前記カバーの表面上に揺動可能にヒンジ軸支され、前記上方向ラチェットポールと前記カバー間には、前記上方向ラチェットホイールの揺動方向と反対側方向に弾性復元力を提供する弾性支持手段が備えられることを特徴とする請求項１０記載の冷蔵庫の集中冷却装置。
【請求項１３】
前記弾性支持手段は、コイルスプリングであることを特徴とする請求項１２記載の冷蔵庫の集中冷却装置。
【請求項１４】
前記弾性支持手段は、板スプリングであることを特徴とする請求項１２記載の冷蔵庫の集中冷却装置。
【請求項１５】
前記上方向ラチェットポールは、前記上方向ラチェットホイールの揺動後、復元力により元の状態に復帰されるように前記カバーの表面上にヒンジ軸支されることを特徴とする請求項１０記載の冷蔵庫の集中冷却装置。
【請求項１６】
前記下方向駆動部は、前記連結ロッドに嵌合されてその外周面にギヤー噛部が切削形成された下方向ラチェットホイールと、
前記ノズルの下方向揺動時に前記ハウジングの上面の下方向ラチェットホイールの揺動軌道上に装着されて、前記下方向ラチェットホイールの上方向の進行は許容し、その他の方向の進行は、前記下方向ラチェットホイールの噛部中、一つの噛部に該当する角度だけ下方向ラチェットホイールを揺動するように前記下方向ラチェットホイールの進行を許容する下方向ラチェットポールと、を包含して構成されることを特徴とする請求項９記載の冷蔵庫の集中冷却装置。
【請求項１７】
前記下方向ラチェットホイールの外周縁の噛形は、下方向に進行時に前記下方向ラチェットポールを押しながら進行し得るように緩慢に切削形成され、上方向進行時には前記下方向ラチェットポールに掛止されるように切削形成されることを特徴とする請求項１６記載の冷蔵庫の集中冷却装置。
【請求項１８】
前記下方向ラチェットポールは、前記ハウジングの表面上に揺動可能に軸支され、前記下方向ラチェットポールと前記ハウジング間には、前記下方向ラチェットホイールの揺動方向と反対側方向に弾性復元力を提供する弾性支持手段が備えられることを特徴とする請求項１６記載の冷蔵庫の集中冷却装置。
【発明の詳細な説明】
【０００１】
【発明の属する技術分野】
本発明は、冷蔵庫に係るもので、詳しくは、冷蔵室の内部の高温負荷が発生された領域に冷気を集中的に噴射して、高温負荷がかかった部分を迅速に冷却させることで、冷蔵室の内部の温度を迅速且つ均一に維持し得る冷蔵庫の集中冷却装置に関するものである。
【０００２】
【従来の技術】
一般に、冷蔵庫は、冷凍食品を保管するための冷凍室と、冷蔵食品を保管する冷蔵室とに区画されて、その内部には、冷凍室及び冷蔵室に冷気を供給する冷凍サイクルが装着されている。
そして、従来の冷蔵庫は、図１１及び図１２に示したように、前方の両方向に開閉自在に一対のドア１０２が装着されて、内部に収納空間が形成された本体１０４と、該本体１０４の左側に配置されて冷凍食品を保管する冷凍室１０６と、該冷凍室１０６と隔壁１１０により区画されて、本体１０４の右側に配置されることで冷蔵食品が収納される複数の棚１１４を有した冷蔵室１０８と、前記冷凍室１０６の上方側に設置されて、冷凍サイクルを通過しながら冷却された空気を前記冷凍室１０６及び冷蔵室１０８に供給する冷気供給装置と、を包含して構成されていた。
【０００３】
且つ、前記冷気供給装置は、前記冷凍室１０６の上方側の後方壁面に装着されて、冷凍サイクルを通過しながら冷却された空気を強制的に送風させる送風ファン１２０と、該送風ファン１２０の下方側に配置されて、冷凍室１０６の内部に冷気を供給させるために複数の冷気吐出口１３０が穿孔形成されたパネル１２８と、前記送風ファン１２０から送風される冷気を冷蔵室１０８に流入させるために前記隔壁１１０の上方側に穿孔形成された冷気供給通路１３２と、前記冷蔵室１０８の上部に装着されて、前記冷気供給通路１３２と連通されることで、前記冷気供給通路１３２に供給される冷気を冷蔵室１０８の内部に吐出させる冷気吐出ダクト１３４と、前記隔壁１１０の下方側に穿孔形成されて、冷蔵室１０８を循環しながら冷却作用が完了した冷気を冷凍サイクルに流入させる冷気流入通路１３８と、前記冷媒吐出ダクト１３４の前方及び下方側に穿孔形成されて、前記冷蔵室１０８に冷気を吐出させる複数の冷気吐出口１３６と、を包含して構成される。
【０００４】
又、前記冷蔵室１０８の一方側には温度センサー１４０が付着されて、前記冷蔵室１０８の温度が設定値以下になると、該冷蔵室１０８への冷気供給を遮断し、前記冷蔵室１０８の温度が設定値以上になると、前記冷凍室１０６に冷気を供給するようになっていた。
以下、このように構成された従来の冷蔵庫の動作に対し、説明する。
先ず、冷凍サイクルが駆動されて送風ファン１２０が駆動されると、前記冷凍サイクルを通過しながら冷却された冷気が送風ファン１２０の送風圧により前記パネル１２８の冷気吐出口１３０及び冷気供給通路１３２に夫々吐出される。
【０００５】
次いで、前記冷気吐出口１３０に吐出された冷気は、前記冷凍室１０６の内部を循環しながら冷凍室１０６に貯蔵された冷凍食品の冷却作用を遂行する。
又、前記冷気供給通路１３２に供給された冷気は、前記冷気吐出ダクト１３４に流入された後、冷気吐出ダクト１３４に形成された冷気吐出口１３６を通して冷蔵室の内部に吐出される。
次いで、前記冷蔵室１０８の内部に吐出された冷気は、前記冷蔵室１０８を循環しながら冷蔵室１０８に保管された冷蔵食品の冷却作用を遂行し、冷却作用を終了した冷気は、前記隔壁１１０の下方側に形成された冷気流入通路１３８に流入されて、冷却サイクルを通過しながら再び冷却される。
【０００６】
【発明が解決しようとする課題】
然るに、このような従来の冷蔵庫においては、冷蔵室の上方側に冷気吐出ダクトが配置されて、前記冷気吐出ダクトに形成された冷気吐出口を通して冷気が前記冷蔵室の上方側から下方側に供給されるため、前記冷気吐出口からの距離によって温度偏差が激しくなり、冷蔵室の冷気吐出ダクトのみから冷気が吐出されるため、冷蔵室の内部に収納された食品の何れかに高温負荷が発生されると冷蔵室の内部の温度が均一になるまで時間が長くかかり、よって、冷却時間が長引くことで冷蔵室に収納された食品の新鮮度が低下するという不都合な点があった。
【０００７】
且つ、前記温度センサー及び冷気吐出口が夫々一定の領域に固定された状態に配置されているため、前記温度センサーから検出される冷蔵室の温度が冷蔵室の内部の所定領域に制限され、冷気の吐出も所定領域に限って吐出されるので、前記温度センサーが温度を検出し得る部位から離れた区域に負荷が発生された場合、冷蔵室の内部の温度偏差を解消するのに多くの時間がかかって、冷蔵室の内部の温度を迅速且つ均一にし得ないという不都合な点があった。
【０００８】
特に、前記冷気吐出口が冷蔵室の後方に穿孔形成されるため、該冷気吐出口附近の冷蔵室の後方と中央部に冷気が集中されることで、その近くにある食品は冷気の影響を多く受けて過冷され、冷気吐出口から遠く離れたドアの近くに保管された食品は相対的に冷気の影響を受けられずに弱冷される現象が発生され、よって、冷気吐出口からの距離に従ってその偏差が著しくなって、冷蔵室の内部の温度分布が不均一になるという不都合な点があった。
【０００９】
本発明は、このような従来の課題に鑑みてなされたもので、冷蔵室の内部に集中冷却装置を設置して、冷蔵室の内部の任意の領域に高温負荷が発生されると、該高温負荷の発生領域に冷気を集中的に吐出させることで、前記高温負荷の冷却速度を向上させて、冷蔵室の温度を迅速且つ、均一に維持し得る冷蔵庫の集中冷却装置を提供することを目的とする。
又、冷気を吐出させる冷気噴射口及び温度を感知する温度センサーが備えられたノズルを円周方向及び直径方向に揺動させて、前記温度センサーの感知範囲を広げて前記冷気噴射口の冷気吐出範囲を広げることで、冷蔵庫の内部から発生した高温負荷に対して積極的に対応し得る冷蔵庫の集中冷却装置を提供することを目的とする。
【００１０】
【課題を解決するための手段】
このような目的を達成するため、本発明に係る冷蔵庫の集中冷却装置においては、冷気を冷蔵室の側壁に案内するように冷蔵室の側壁に一つ以上形成された冷気案内通路に夫々装着されるハウジングと、それらハウジングに揺動可能に軸支されることで、前記冷蔵室の内部の任意の領域に高温負荷が発生されるとき、該高温負荷の発生領域に冷気を集中的に噴射させるノズルと、それらノズルの前方に装着されて、前記ノズルと一緒に揺動されながら高温負荷が発生された領域を感知する温度センサーと、前記ノズルを上下方向及び左右方向に揺動させるノズル駆動部及び支持部と、を包含して構成されることを特徴とする。
【００１１】
【発明の実施の形態】
以下、本発明の実施の形態に対し、図面を用いて説明する。
本発明に係る集中冷却装置及びその装置が備えられた冷蔵庫においては、図１及び図２に示したように、開放された前方の両方向に開閉されるドア（図示されず）が装着されて食品が貯蔵される収納空間を有する本体２と、該本体２の左／右側中何れか一方側に形成されて冷凍食品が貯蔵される冷凍室４と、該冷凍室４と隔壁８により区画されて冷蔵食品が収納される冷蔵室６と、前記本体２の一方側に設置されて冷気を発生させる冷凍サイクル（図示されず）と、該冷凍サイクルを通過しながら冷却された空気を冷凍室４及び冷蔵室６に供給する冷気供給装置と、前記冷蔵室６の内部の特定領域に高温負荷が発生されるとき、該高温負荷が発生される地域に冷気を集中的に吐出させる集中冷却装置と、を含んで構成されている。
【００１２】
且つ、前記冷気供給装置は、前記冷凍室４の上方側の後壁面に装着されて、前記冷凍サイクルを通過しながら冷却された冷気を強制的に循環させる送風ファン１２と、該送風ファン１２の下方側に設置されて、送風ファン１２から送風される冷気を冷凍室４に吐出させる冷気吐出口１３が穿孔形成されるパネル１４と、前記隔壁８の上方側に穿孔形成されて、前記送風ファン１２から送風される冷気を冷蔵室６に供給する冷気供給通路１５と、該冷気供給通路１５に連通されて冷蔵室６の上方側に設置されることで冷蔵室６に冷気を吐出させる冷気吐出口１６が穿孔形成された冷気吐出ダクト１７と、を包含して構成されている。
【００１３】
又、前記隔壁８の下方側には、前記冷蔵室６を循環しながら冷却作用を完了した冷気を冷凍サイクルに流入させる冷気流入口１８が穿孔形成される。
又、前記集中冷却装置は、前記隔壁８の冷気供給通路１５から延長されて、前記冷蔵室６の側壁内部に少なくとも一つ以上に形成されて冷気を前記冷蔵室６の側壁に案内する冷気案内通路１９と、該冷気案内通路１９に連結されて、前記冷蔵室６の側壁に夫々装着されて高温負荷が発生された地域に冷気を噴射する冷気噴射装置３０と、を含んで構成されている。
【００１４】
且つ、前記冷気供給通路１５には、前記冷蔵室６に流入される冷気の開閉作用をするか、又は前記冷気供給ダクト１７及び冷気案内通路１９を選択的に開放するダンパー２０が設置される。
又、前記ダンパー２０は、図２に示したように、前記冷気供給通路１５の上方側面にヒンジ軸２２により揺動可能に装着された円板状に形成され、前記ヒンジ軸２２は、駆動機構（図示されず）に連結されて、該駆動機構の動作により前記ダンパー２０が第１位置（Ｌ）に置かれると冷蔵室６への冷気供給が遮断され、第２位置（Ｍ）に置かれると冷気案内通路１９及び冷気吐出ダクト１７に冷気が供給され、第３位置（Ｎ）に置かれると前記冷気案内通路１９には冷気が供給されて、前記冷気吐出ダクト１７には冷気供給が遮断されるようになっている。
【００１５】
以下、前記冷気噴射装置３０に対し、図３乃至図５を用いて説明する。
図３は本発明に係る冷気噴射装置の分解斜視図で、図４は本発明に係る冷気噴射装置の正面図で、図５は図４の　ＶＩＩ−ＶＩＩ　線断面図である。
【００１６】
図示されたように、前記冷気噴射装置３０においては、前記冷気案内通路１９に所定間隔を置いて夫々装着される開放屈曲された中空円筒状のハウジング３２と、該ハウジング３２に揺動可能に軸支されて高温負荷が発生された地域に冷気を噴射する半球状のノズル３９と、該ノズル３９の前面に装着されて、ノズル３９と共に揺動されながら前記冷蔵室６の内部の高温負荷が発生された地域を感知する温度センサー４５と、前記ハウジング３２の内部に装着されて前記ノズル３９を左右方向に揺動させる第１駆動部５１と、前記ノズル３９の揺動と連動されながら該揺動方向によって前記ノズル３９を上下方向に揺動させる第２駆動部６１、７１と、前記温度センサー４５から信号の伝達を受けて前記第１駆動部５１を制御する制御ユニット８１と、から構成されている。
【００１７】
且つ、前記ハウジング３２は、前記冷気案内通路１９に穿孔形成された各冷気案内ホール２４に装着されて、前記ハウジング３２の前面には中央が開放された円板状のカバー３３が装着され、前記ハウジング３２の中央が前方に屈曲突成されて中心部位が穿孔されて、前記ノズル３９が揺動可能に当接される接触突条３４が突出形成され、前記ハウジング３２の内側壁面には、前記ノズル３９が揺動可能に支持される複数の第１支持ローラ５４が装着されている。
又、前記接触突条３４の外側壁面には、第１熱線３５が付着されることで、前記ノズル３９と前記接触突条３４間の接触部位が結氷されることを防止する。
【００１８】
又、前記カバー３３の中央には、前記ノズル３９が挿入されるノズル挿入ホール３６が穿孔形成され、該ノズル挿入ホール３６の外縁に近接して、ノズル３９を揺動可能に支持する複数の第２支持ローラ５５が装着され、該ノズル挿入ホール３６の外縁に隣接して第２熱線３７が付着されることで、前記ノズル４０と接触される部位の結氷を防止する。
且つ、前記ハウジング３２とカバー３３とは、相互締結ボルト３８により締結される。
【００１９】
又、前記ノズル３９は、前記ハウジング３２のノズル挿入ホール３６に挿入されてその前方の前記カバー３２の前方に露出され、そのノズル３３の後方側面が前記ハウジング３３の接触突条３４に当接される。
又、前記ノズル３９の中心から所定間隔偏心された位置に所定角傾斜して、冷気を前記冷蔵室６の内部に噴射する冷気噴射口４０が穿孔形成され、前記ノズル３９の前面上方側には、前記冷蔵室６の内部の温度を検出する赤外線温度センサー４５が装着される。
【００２０】
即ち、前記温度センサー４５は、前記ノズル３９の偏心された位置に切削形成されたセンサー収納溝４２に所定角傾斜して装着され、前記冷気噴射口４０の前方の熱源から輻射された赤外線を受光して温度を検出する赤外線センサーから構成されるが、この時、前記温度センサー４５により検出される地域方向と前記冷気噴射口４０に吐出される冷気の方向とを同様にするように、前記温度センサー４５は、該冷気噴射口４０と同様な方向に傾斜して装着される。
【００２１】
又、前記ノズル３９の両方側には、第１及び第２連結ロッド４３、４４が夫々嵌合された後、それら第１及び第２連結ロッド４３、４４が前記ノズル３９の外周面と所定距離を置いて後述するノズル支持部材５２の軸受部５３に揺動可能に係合される。
且つ、前記ノズル支持部材５２は、前記ノズル３９が挿入されるように開口された底面部８７及び側壁部８６を有して前記ハウジング３２の内部に収納されるように中空円筒状に形成され、前記側壁部８６の内側壁面に前記軸受部５３が装着されることで、前記ノズル支持部材５２の側壁部８６の外周面は、前記ハウジング３２に装着された第１支持ローラ５４に揺動可能に係合される。
【００２２】
従って、前記ノズル３９は、前記第１及び第２連結ロッド４３、４４により前記ノズル支持部材５２の軸受部５３に上下方向揺動自在に嵌合され、前記制御ユニット８１の指示によりノズル３９が上方向に揺動するときには、前記第１連結ロッド４３が前記カバー３３の後述する上下ラチェットポール６５に当接されることで、上方向に揺動され、下方向に揺動されるときは第２連結ロッド４４が下方向ラチェットポール７５に当接されることで揺動されるようになっている。
【００２３】
又、前記第１駆動部５１は、前記ノズル支持部材５２の内側壁面に形成されたラックギヤー５６と、該ラックギヤー５６と噛合されるように形成されたピニオンギヤー５７と、該ピニオンギヤー５７を駆動させるステッピングモータ５９と、から構成されることで、前記制御ユニット８１の指示により前記ノズル３９を左右方向に揺動させるようになっている。
【００２４】
即ち、前記第１駆動部５１の駆動モータ５９の駆動によって、前記ピニオンギヤー５７及び前記ラックギヤー５６が揺動され、前記ノズル支持部材５２が揺動することで、該ノズル支持部材５２の軸受部５３に嵌合された前記第１及び第２連結ロッド４３、４４により前記ノズル３９がその左右方向に揺動される。
又、前記第２駆動部６１は、図６（Ａ）、（Ｂ）に示したように、前記ノズル３９の左側に嵌合されて、前記ノズル３９を上方向に揺動させる上方向駆動部６１と、前記ノズル３９の右側に嵌合されて、前記ノズル３９を下方向に揺動させる下方向駆動部７１と、から構成されている。
【００２５】
且つ、前記上方向駆動部６１は、前記第１連結ロッド４３に嵌合されて前記ノズル３９と前記ノズル支持部材５２間に位置され、その外周面に複数の噛部が切削形成された上方向ラチェットホイール６３と、前記ノズル３９の揺動時に前記上方向ラチェットホイール６３の進行軌道に対応する前記カバー３３の表面上に突成されて、前記上方向ラチェットホイール６３の上方向進行は許容し、他方向の進行は、前記上方向ラチェットホイール６３の噛部中、一つの噛に該当する角度だけ前記上方向ラチェットホイール６３を揺動させるようにする上方向ラチェットポール６５と、を含んで構成されている。
【００２６】
又、前記下方向駆動部７１は、図９（Ａ）、（Ｂ）に示したように前記上方向ラチェットホイール６３が嵌合された前記第１連結ロッド４３の反対側の第２連結ロッド４４に嵌合されて、その外周面には複数の噛部が切削形成された下方向ラチェットホイール７３と、前記ノズル３９の揺動時に前記下方向ラチェットホイール７３の進行軌道に対応する前記ハウジング３２の表面上に突成されて、前記下方向ラチェットホイール７３の下方向進行は許容し、反対側方向の進行には前記下方向ラチェットホイール７３の噛部中、一つの噛に該当する角度だけ前記下方向ラチェットホイール７３を揺動させる下方向ラチェットポール７５と、を含んで構成されている。
【００２７】
以下、前記上方向駆動部６１の構成及び動作に対し、図６（Ａ）、（Ｂ）を用いて説明する。
図６（Ａ）に示したように、前記上方向駆動部６１は、前記上方向ラチェットホイール６３の噛部が該上方向ラチェットホイール６３の揺動方向の上方向には緩慢に切削形成され、反対側の噛形は、急な傾斜角を有して切削形成されている。
又、前記上方向ラチェットポール６５は、前記カバー３３の表面に接着される第１支持部６６と、該第１支持部６６から垂直にヒンジ軸６８により軸支されて前記上方向ラチェットホイール６３の噛部６２に当接される第１作用部６７と、から形成されることで、前記第１支持部６６及び第１作用部６７は、前記上方向ラチェットホイール６３が反時計方向に揺動される時、前記上方向ラチェットポール６５を押しながら揺動されるように前記カバー３３に接着及びヒンジ軸支されている。
【００２８】
即ち、前記第１作用部６７は、前記上方向ラチェットホイール６３の噛部と直接当接される部分であって、前記上方向ラチェットホイール６３の反時計方向への揺動を許容するように前記上方向ラチェットホイール６３の噛部の一方側先端は所定角度を有して緩慢に切削形成され、その反対側は、急な傾斜角を有して切削形成されることで、逆方向揺動を防止し、前記上方向ラチェットホイール６３が前記上方向揺動持に前記上方向ラチェットポール６５を通過した後、前記第１作用部６７が元の位置に戻るように以下の弾性支持手段８３が前記カバー３３の表面に装着されている。
【００２９】
且つ、前記カバー３３の第１作用部６７と該第１作用部６７に隣接したカバー３３の上面間には、弾性支持手段８３の両方端が夫々掛止されることで、前記上方向ラチェットポール６５の第１作用部６７は、前記上方向ラチェットホイール６３の揺動により押された後、前記上方向ラチェットホイール６３の揺動時に、前記弾性支持手段８３の復元力により元の位置に復帰されるようになっている。
このとき、前記弾性支持手段８３は、図７及び図８に示したように、前記第１作用部６７と前記カバー３３とを連結するコイルスプリング８４又は、前記第１作用部６７の垂直面及び前記カバー３３の表面に夫々付着されることで支持する板スプリング８５を適用することができる。
【００３０】
以下、上記のように構成された前記上方向駆動部６１の動作に対し、説明する。
先ず、前記ノズル３９が前記第１駆動部５１により回動し、前記上方向ラチェットホイール６３は、図６に示したように、反時計方向に揺動すると、該上方向ラチェットホイール６３の噛部６２中、何れか一つが、該上方向ラチェットホイール６３の進行軌道上の前記上方向ラチェットポール６５の第１作用部６７に接触されることで、該上方向ラチェットポール６５が押される。
【００３１】
次いで、前記上方向ラチェットホイール６３は、前記上方向ラチェットポール６５を押しながら継続時計方向に進行すると、前記上方向ラチェットホイール６３は前記上方向ラチェットポール６５から離れて、前記上方向ラチェットポール６５は、前記弾性支持手段８３によって元の位置に復帰される。
且つ、図６（Ｂ）に示したように、前記上方向ラチェットホイール６３が時計方向に揺動すると、該上方向ラチェットホイール６３の噛部６２が前記上方向ラチェットポール６５の第１作用部６７を押すが、該第１作用部６７は、前記第１支持部６６に支持されているため、前記上方向ラチェットホイール６３の噛部６２が前記第１作用部６７に掛止される。
【００３２】
以下、前記下方向駆動部７１の構成及び動作に対し、図９（Ａ）、（Ｂ）を用いて説明する。
又、前記下方向駆動部７１は、前記下方向ラチェットホイール７３の噛部形が該下方向ラチェットホイール７３の揺動軌道上の下方向ラチェットポール７５に向かって緩慢に切削形成され、反射側の噛部形は、急な傾斜角度を有して形成される。
即ち、前記下方向ラチェットポール７５は、前記下方向ラチェットホイール７３が時計方向に揺動される時、前記下方向ラチェットポール７５を押しながら揺動されるように前記ハウジング３２の表面にヒンジ軸支される。
【００３３】
且つ、前記下方向ラチェットポール７５は、前記ハウジング３２に接着される第２支持部７６と、該第２支持部７６に揺動自在に軸支されて、前記下方向ラチェットホイール７３の噛部７２に当接される第２作用部７７と、から構成され、前記第２作用部７７は、前記下方向ラチェットホイール７３の噛部に当接されることで、前記下方向ラチェットホイール７３の半時計方向進行を許容し得るように前記下方向ラチェットホイール７３の噛部型が緩慢に形成され、その反対側は、前記下方向ラチェットホイール７３が前記下方向ラチェットポール７５の一つの噛部を過ぎた後、掛止されるように急な傾斜角を有して形成されている。
【００３４】
又、前記下方向ラチェットポール７５の第２作用部７７と前記ハウジング３２の表面間には、弾性支持手段８３が掛止されることで、前記下方向ラチェットホイール７３の揺動により押された後、弾性支持手段８３の復元力により下方向ラチェットポール７５の第２作用部７７が元の位置に戻るようになっている。
以下、上記のように構成された前記下方向駆動部７１の動作に対し、説明する。
先ず、前記ノズル３９が前記第１駆動部５１により時計方向に揺動すると、前記下方向ラチェットホイール７３は、前記第２連結ロッド４４に嵌合された状態でその進行軌道を沿って揺動される。
【００３５】
次いで、前記下方向ラチェットホイール７３の噛部中、何れか一つが、前記下方向ラチェットホイール７３の揺動軌道上の前記下方向ラチェットポール７５の作用部７７に接触されて、前記下方向ラチェットホイール７３は、前記下方向ラチェットポール７５を押しながら時計方向に揺動される。
次いで、前記下方向ラチェットホイール７３が前記下方向ラチェットポール７５から離れると、前記下方向ラチェットポール７５は、前記弾性支持手段８３によって元来の状態に復元される。
【００３６】
又、図９（Ｂ）に示したように、前記第１駆動部５１により前記ノズル３９が逆揺動の反時計方向に揺動すると、前記下方向ラチェットホイール７３も反時計方向に揺動して、前記下方向ラチェットホイール７３の一つの噛部７２に、前記下方向ラチェットポール７５の第２作用部７７を押す力が作用されるが、該第２作用部７７は前記第２支持部７６に支持されているため、前記下方向ラチェットホイール７３の噛７２は、前記第２作用部７７に掛止される。
従って、前記のような掛止によって前記下方向ラチェットホイール７３は、その中心を軸に半時計方向（図９（Ｂ）で見る時）に揺動する。
【００３７】
従って、前記下方向ラチェットホイール７３に前記第２連結ロッド４４により係合される前記ノズル３９が前記下方向ラチェットホイール７３の揺動により上方向に揺動され、このような動作が数回反復され、前記冷気噴射口４０が次の負荷位置に移動させる。
又、前記制御ユニット８１は、図１０に示したように、前記温度センサー４５から印加される信号によって高温負荷の発生可否を判断し、前記第１駆動部５１を制御する同時に、前記ダンパー２０の位置を駆動制御する。
【００３８】
以下、このように構成された本発明に係る集中冷却装置が備えられた冷蔵庫の動作に対し、説明する。
先ず、冷凍サイクル及び送風ファン２０が駆動されると、冷凍サイクルを通過しながら冷却された空気がパネル１４上の冷気吐出口１３を通して冷凍室４に吐出され、該冷凍室４を循環しながら冷却作用を遂行し、前記隔壁８の冷気供給通路１５を通して冷蔵室６に供給される。
【００３９】
次いで、前記冷気供給通路１５に供給された冷気は、前記冷気吐出ダクト１７及び前記冷気案内通路１９に供給され、前記冷気吐出ダクト１７に形成された冷気吐出口１６を通して冷蔵室内部に吐出されることで冷却作用を遂行し、前記冷気供給通路１５に設置されたダンパー２０が第２位置（Ｍ）に動作されることで、冷凍室６からの冷気吐出が行われる。
【００４０】
又、前記冷気噴射装置３０の制御ユニット８１により駆動モータ５９が駆動されると、前記駆動モータ５９の駆動力が前記ピニオンギヤー５７に伝達され、該ピニオンギヤー５７に噛合された前記ノズル支持部材５２が揺動されることで、該ノズル支持部材５２に係合された第１及び第２連結ロッド４３、４４によりノズル３９が揺動されると同時に、それら第１及び第２連結ロッド４３、４４に係合されたラチェットホイール６３、７３が前記ノズル３９の揺動によって揺動される。
従って、前記ノズル３９は、前記第１駆動部５１により時計方向及び半時計方向に反復的に揺動しながら前記第２駆動部６１、７１によって上下左右方向に揺動される。
【００４１】
この時、前記ノズル３９の前方に装着された温度センサー４５が前記冷蔵室６の内部の温度をスキャニングし、前記冷蔵室６の内部の各地域の温度を感知してその信号を前記制御ユニット８１に印加させるが、若し、前記冷蔵室６の内部に高温負荷が発生される場合、前記ダンパー２０は第３位置（Ｎ）に動作されて冷気吐出ダクト１７への冷気供給を遮断し、冷気案内通路１９のみに冷気を供給することで、前記冷気噴射装置３０が作動し高温負荷が発生された地域に冷気を集中的に噴射させる。
【００４２】
即ち、前記冷気噴射装置の制御装置は、前記駆動モータ５９を駆動させて前記ノズル３９の冷気噴射口４０を該当の領域に向かうようにすることで、高温負荷の発生地域に集中冷却を実施することで、迅速に冷蔵室内部の温度を均一にする。
この時、前記ノズル支持部材５２は、前記カバー３３の装着されたハウジング３２に支持ローラ５４により支持されることで、前記ノズル３９を揺動自在に支持している。
【００４３】
【発明の効果】
以上説明したように、本発明に係る冷蔵庫の集中冷却装置においては、前記冷蔵室の側壁に複数の冷気噴射口を有するノズルを設置し、冷蔵室内の高温負荷が発生された部位に集中的に冷気を吐出させることで、迅速に冷却作用を遂行して冷蔵室内部の温度を均一に維持し得るという効果がある。
又、本発明に係る冷蔵庫の集中冷却装置においては、前記ノズルを左右方向に揺動させる第１駆動部と、上下方向に揺動させる第２駆動部と、が備えられ、前記ノズルを四方に立体的に揺動させることで、前記温度センサーの感知範囲を広めて前記冷気噴射口の冷気吐出範囲が広大され、よって、冷蔵庫の内部から発生した高温負荷に迅速且つ積極的に対処し得るという効果がある。
【図面の簡単な説明】
【図１】本発明に係る集中冷却装置が備えられた冷蔵庫を示した一部切開斜視図である。
【図２】本発明に係る集中冷却装置が備えられた冷蔵庫を示した横断面図である。
【図３】本発明に係る集中冷却装置の冷気噴射装置を示した分解斜視図である。
【図４】本発明に係る冷気噴射装置を示した正面図である。
【図５】図４の　ＶＩＩ−ＶＩＩ　線断面図である。
【図６】本発明に係る第２駆動部の動作を説明した部分断面図である。
【図７】本発明に係る上方向ラチェットポールの構造を示した断面図である。
【図８】本発明に係る上方向ラチェットポールの構造を示した断面図である。
【図９】本発明に係る第２駆動部の動作を示した説明断面図である。
【図１０】本発明に係る冷蔵庫の集中冷却装置の制御部のブロック図である。
【図１１】従来の冷蔵庫の構成を示した部分斜視図である。
【図１２】従来の冷蔵庫の冷蔵室を示した横断面図である。
【符号の説明】
２…本体
４…冷凍室
６…冷蔵室
８…隔壁
１２…送風ファン
１３、１６…冷気吐出口
１４…パネル
１７…冷気吐出ダクト
１９…空気案内通路
２４…冷気案内ホール
３０…冷気噴射装置
３２…ハウジング
３４…接触突条
３５…第１熱線
３９…ノズル
４２…センサー収納溝
４３、４４…連結ロッド
４５…温度センサー
４０…冷気噴射口
５１…第１駆動部
５２…ノズル支持部材
５４、５５…支持ローラ
５７…ピニオンギヤー
５９…駆動モータ
６１…上方向駆動部
６３…上方向ラチェットホイール
６５…上方向ラチェットポール
７１…下方向駆動部
７３…下方向ラチェットホイール
７５…下方向ラチェットポール
８１…制御ユニット
【図１】
2004077112.tif 000003
【図２】
2004077112.tif 000004
【図３】
2004077112.tif 000005
【図４】
2004077112.tif 000006
【図５】
2004077112.tif 000007
【図６】
2004077112.tif 000008
【図７】
2004077112.tif 000009
【図８】
2004077112.tif 000010
【図９】
2004077112.tif 000011
【図１０】
2004077112.tif 000012
【図１１】
2004077112.tif 000013
【図１２】
2004077112.tif 000014